(57)【特許請求の範囲】
【請求項１】
短冊状の園芸用表示片を複数並べ帯状台紙とし、帯状台紙裏面全面に剥離紙を付着させた帯状台紙シートであって、
帯状台紙シートの一端に園芸用表示片の短冊を分ける切離線を設け、切離線は、帯状台紙及び剥離紙の双方を貫通して切れており、
該切離線に連続して、帯状台紙及び剥離紙の双方にミシン目を設けて、短冊状の園芸表示片を分離可能に構成し、
切離線に交差して剥離紙には、帯状台紙の長手方向に沿って切目が設けられている帯状台紙シート。
【発明の詳細な説明】
【０００１】
【発明の属する技術分野】
本発明は、例えば園芸店等において、植物の品名や価格等を記載した短冊状の表示片を枝や茎等に巻きつけたり、鉢等に貼り付けるようにした園芸用表示片に関する。
【０００２】
【従来の技術】
従来から、植物の品名や価格等を記載した短冊状の表示片を鉢植えの枝や茎等に巻きつけて店頭に陳列することが行われている。
【０００３】
このような表示片の従来例について説明すると、図１１は従来の表示片の裏面を示すもので、短冊状シート２０の端部に細幅の粘着層２１が付着されて成り、使用前はこの粘着層２１に剥離紙２２が付着されている。また、短冊状シート２０の表面には品名や価格等を記載する欄が設けられ、使用時には、この記載欄に品名や価格等を書き込み、図１２のように粘着層２１を有する側の端部を折り返すことにより、図１３に示すように枝等に巻きつけ、剥離紙２２（図１１参照）を剥すことによって露出した粘着層２１を短冊状シート２０の裏面に貼り付けて取付けを完了する。
【０００４】
【発明が解決しようとする課題】
ところで、上記の従来の短冊状シート２０は耐水性の合成樹脂製シートから成るため、短冊状シート２０を枝等に巻つけた状態で植物に水分を与え、この水分が短冊状シート２０を濡らした場合でも、元の状態をきれいに保つことが可能である。
【０００５】
ところが、耐水性の合成樹脂製シートは高価であり、これを安価な紙製により作成すると、水分を吸収してふやけた状態となり、破れ易く、見た目にも汚くなるという欠点があった。
【０００６】
また、従来の短冊状シート２０は、植物の枝等に巻きつけた状態で品名や価格等の表示を行うほかに、鉢等に付着するという使用ができないという欠点があった。
【０００７】
本発明は、上記の事情に鑑みて成されたもので、紙製により安価に作成し、しかも耐久性及び耐水性を保つようにした園芸用表示片を提供することを目的とする。
【０００８】
また、本発明は、植物の枝等に巻つけるほかに、鉢等に付着することを兼用して行うことができる園芸用表示片を提供することを目的とする。
【０００９】
【課題を解決するための手段】
上記の目的を達成するために、本発明の帯状台紙シートは、短冊状の園芸用表示片を複数並べ帯状台紙とし、帯状台紙裏面全面に剥離紙を付着させた帯状台紙シートであって、
帯状台紙シートの一端に園芸用表示片の短冊を分ける切離線を設け、切離線は、帯状台紙及び剥離紙の双方を貫通して切れており、
該切離線に連続して、帯状台紙及び剥離紙の双方にミシン目を設けて、短冊状の園芸表示片を分離可能に構成し、
切離線に交差して剥離紙には、帯状台紙の長手方向に沿って切目を設けて成ることを特徴とする。
【００１５】
【発明の実施の形態】
以下、本発明の実施例について図面を参照しながら説明する。
【００１６】
図１は本発明による表示片を示す斜視図であり、台紙の一部を剥離紙から剥離した状態を示している。
【００１７】
この図１に示すように、本発明による表示片１は、短冊状の紙製台紙２の裏側全面に粘着層３が施され、該粘着層３の全面に剥離紙４が貼着されて成り、剥離紙４の端部には全幅に渡る切目５が設けられている。従って、図３に示すように、切目５で剥離紙４の端部４ａを容易に剥し取ることができ、この剥された部分の粘着層３が露出して貼り付け可能とされ、剥離紙４の残りの大部分（付着部分）４ｂは粘着層３を介して台紙２に付着した状態を維持する。
【００１８】
なお、剥離紙４は、通常、粘着層３への付着側に耐水性を有する極めて薄い合成樹脂製コーティングを施してあるため、上記のように剥離紙４の端部４ａを剥し取った残りの大部分４ｂは台紙２の強度を補充すると共に、耐水性及び耐久性の向上に有益となる。
【００１９】
また、図１の表示片１において、切目５の反対側の端部には価格を表示するための価格欄６が設けられ、その内側の品名欄７との境にミシン目８が設けられている。このミシン目８は粘着層３を含めて台紙２と剥離紙４とを貫いて設けられ、図３に示すように、ミシン目８で価格欄６の台紙２と剥離紙４とを一括して分離することが可能とされている。
【００２０】
上記の表示片１を使用するには、図２に示すように、表示片１の表面に設けられた価格欄６と品名欄７とに所定の事柄をサインペン等で書き込み、図３に示すように切目５で剥離紙４の端部４ａを剥し取ることによって露出した粘着層３側（折返し部１ａ）を持って、図４に示すように表示片１を折り返すことにより、図５に示すように枝や茎等に巻きつけた状態にして、上記のように露出した粘着層３を剥離紙４の面に貼り付ける。
【００２１】
なお、図２において、表示片１の折返し部１ａは、他の部分と区別するために、円弧形の端縁１２を設け、また着色等を施すようにしてもよい。
【００２２】
このような表示片１においては、台紙２の材料として紙を使用しているため安価に作成でき、上記のように剥離紙４の端部４ａを剥した残りの剥離紙４の大部分４ｂは台紙２の粘着層３に付着した状態にされるため、その分、強度が増し、耐久性が向上する。
【００２３】
また、台紙２として耐水紙を使用すれば、鉢植えの植物に水を供給する時にも水分を吸収せず、水にも強い紙製表示片を構成することが可能となる。
【００２４】
さらに、上記のように価格欄６の台紙２と剥離紙４とを一括してミシン目８で切り離すことができるため、購入の際、または購入後に不要となった価格欄６をミシン目８で除去して品名欄７のみを残すことが可能となる。このような価格欄６を容易に分離し得ることは、商品を贈呈に用いるとき等に便利である。
【００２５】
上記の短冊状の表示片１を作成するには、図６(a) に示すように表示片１の長さを幅として有する帯状台紙１０の裏側全面に粘着層３を設け、この粘着層３を介して帯状台紙１０の全面に剥離紙４を貼着し、表示片１の幅ごとにミシン目１１を施しておき、このミシン目１１に沿って単一の表示片１に切り離すようにする。
【００２６】
図６(b) に示す帯状台紙１０においては、単一の表示片１に切り離すための境界線をすべてミシン目１１とするのではなく、端部の切目５を越した位置まで切離線１３を設けた構成としている。これは、図６(a) に示すように、単一の表示片１に切り離すための境界線をすべてミシン目１１とした場合、単一の表示片１を縦状に折曲して切り離すと、切目５を境にして剥離紙４の大部分４ｂが台紙２から剥された状態となるおそれがあるため、図６(b) に示すように、この切目５を越した位置まで切離線１３を設けておき、台紙２の裏側全面に剥離紙４を貼着した状態を維持して単一の表示片１に切り離すようにしたのである。
【００２７】
また、図６(a) 及び(b) に示すものにおいては、帯状台紙１０の全面に付着した剥離紙４の端部に長手方向に沿って切目５を設け、さらにその反対側端部の台紙２と剥離紙４とを一括して分離するミシン目８が帯状台紙１０の長手方向に沿って設けられことにより、ミシン目１１で切り離した単一の表示片１に、図１の表示片１と同様の切目５とミシン目８とを設けることができる。
【００２８】
さらに、図６(a) 及び(b) に示す帯状台紙１０においては、単一の表示片１ごとにその端部１２を円弧状に形成した意匠性を施している。
【００２９】
また、図７に示す表示片１には、切目５が設けられた反対側部分の剥離紙３を部分的に剥し取る他の切目５’が設けられている。即ち、図３で示した切目５とミシン目８の他に、このミシン目８からさらに内側の剥離紙４の全幅に渡って他の切目５’を設けている。この切目５’によって価格欄６から内側にもう一か所粘着層３を露出することができ、端部に露出した粘着層３とを合わせて用いることによって、図８に示すように、鉢１５等の側面にこの表示片１の両端を貼り付けることができる。しかも、価格欄６は裏側に剥離紙４を貼り付けた状態にしておくことができ、購入の際、または購入後に不要となった価格欄６を除去して、品名欄７のみを残すことが可能となる。
【００３０】
なお、不図示であるが、表示片１に価格欄６を設けない場合、切目５の反対側端部に他の切目５’を設け、両方の切目５、５’で両端の剥離紙４ａを剥し取ることにより、表示片１の両端に粘着層３の剥離部分を設けて、鉢等の側面に貼り付けるようにしてもよい。
【００３１】
図９に示すものは表示片１の端部を示すもので、切目５によって粘着層３を露出する台紙２の部分（切目５の端部側）に切込線１６を設けたものであり、図９(a) 〜(c) には切込線１６の各種を示している。図９(a) に示すものは一つのＶ字形切込線１６であり、図９(b) に示すものはこのＶ字形切込線１６を複数設けたものであり、図９(c) に示すものはＶ字形切込線１６を対向させて設けたものである。
【００３２】
このような切込線１６を設けた理由は、商店等において、図１０のように枝等に取り付けた表示片１を、客が故意に安い価格の表示片に貼り替えてしまうことを防止するためであり、図１０のように本実施例の表示片１を貼り付けた端部を剥し取ろうとすると、切込線１６の端部１６ａから破れてしまい、再度きれいな状態で使用することが不可能となる。
【００３３】
なお、切込線１６としては、上記のようにＶ字形の他の形状とすることもでき、台紙２の面内ではなく端縁から形成されたものとすることも可能である。
【００３４】
【発明の効果】
上述したように、本発明の帯状台紙シートは、短冊状の園芸用表示片を複数並べ帯状台紙とし、帯状台紙裏面全面に剥離紙を付着させた帯状台紙シートであって、
帯状台紙シートの一端に園芸用表示片の短冊を分ける切離線を設け、切離線は、帯状台紙及び剥離紙の双方を貫通して切れており、
該切離線に連続して、帯状台紙及び剥離紙の双方にミシン目を設けて、短冊状の園芸表示片を分離可能に構成し、
切離線に交差して剥離紙には、帯状台紙の長手方向に沿って切目を設けるようにしたので、帯状台紙と剥離紙の双方の切離線側を持って引き離すことによって、短冊状の園芸表示片の一つを切目の部分から容易にはがされ、ミシン目に沿って短冊状の園芸用表示片が簡単に分離できるという効果が得られる。
更に、帯状台紙のみの切離線側を持って短冊状の園芸用表示片の一つを剥離紙からはがすようにめくると、剥離紙に設けた切目の部分から容易に剥離紙がはがれ、ミシン目に沿って短冊状の園芸用表示片が簡単に分離できるのである。
【００３５】
また、台紙を耐水紙から作成することにより、表示片の耐水性はより一層向上する。
【００３６】
また、本発明の表示片は、端部の剥離紙を切目で剥すことによって露出した粘着層側を持って折り返すことにより、枝や茎等に巻きつけて表示片の裏面の剥離紙に貼り付けることができ、この状態でも台紙の大部分には剥離紙が貼着された状態を保つため、その分、耐久性及び耐水性を向上することができる。
【００３７】
さらに、本発明において、端部の切目が設けられた他に、他の切目を設けることにより、表示片の両端（商品欄を有する場合、この商品欄の内側）に露出した粘着層部分を設けることができ、これらの露出した粘着層により表示片を鉢等の側面に貼り付けることができる。この場合も、露出した粘着層以外の大部分には台紙に剥離紙が貼着された状態となり、耐久性及び耐水性を向上することができる。
【００３８】
また、本発明において、切目が設けられた反対側端部の台紙の表面に価格欄を設け、該価格欄部分の台紙と剥離紙を一括して切り離すミシン目を設けた場合、例えば商品を贈呈等に用いるとき、不要となった価格欄をミシン目で除去して品名欄のみを残すことが可能となる。
【００３９】
さらに、切目によって粘着層を露出する台紙部分に切込線を設けたことにより、露出した粘着層によって貼り付けた台紙を剥し取ろうとした際には切込線から台紙が破れるため、表示片の取り替えを防止する有効な手段として用いることが可能となる。
【図面の簡単な説明】
【図１】本発明による表示片の斜視図であり、説明のために台紙の一部を剥離紙から剥した状態を示している。
【図２】本発明による表示片の表側を示す平面図である。
【図３】本発明による表示片の裏側を示す平面図である。
【図４】本発明による表示片を折り返している状態を示す斜視図である。
【図５】本発明による表紙片を植木鉢の枝に取り付けた図である。
【図６】本発明による単一の表示片を帯状台紙から作成するようにした状況を示す平面図であり、(a) は単一の表示片の境界にミシン目のみを設けた場合、(b) はこのミシン目の他に端部に切離線を設けた場合を示す。
【図７】本発明において剥離紙に他の切目を設けた表示片の裏側を示す平面図である。
【図８】本発明の表示片を鉢の側面に貼付した状況を示す図である。
【図９】(a) 乃至(c) は本発明の表示片の端部に切込線を設けた部分的平面図である。
【図１０】図９の切込線を設けた表示片を枝等に取り付けて、表示片の端部を剥そうとしている状況を示す図である。
【図１１】従来の短冊状シートの裏面を示す平面図である。
【図１２】従来の短冊状シートを折返している状況を示す斜視図である。
【図１３】従来の短冊状シートを鉢植えの枝等に取付けた状況を示す斜視図である。
【符号の説明】
１…表示片
２…台紙
３…粘着層
４…剥離紙
４ａ…剥離紙の端部
４ｂ…剥離紙の大部分（付着部分）
５…切目
５’…他の切目
６…価格欄
７…品名欄
８…ミシン目
１０…帯状台紙
１１…ミシン目
１２…端部
１３…切離線
１５…鉢
１６…切込線
【図１】
0003812158.tif 000002
【図２】
0003812158.tif 000003
【図３】
0003812158.tif 000004
【図４】
0003812158.tif 000005
【図５】
0003812158.tif 000006
【図６】
0003812158.tif 000007
【図７】
0003812158.tif 000008
【図８】
0003812158.tif 000009
【図９】
0003812158.tif 000010
【図１０】
0003812158.tif 000011
【図１１】
0003812158.tif 000012
【図１２】
0003812158.tif 000013
【図１３】
0003812158.tif 000014